(57)【要約】【課題】表示部に表示された画像の画像データに対応づけられている情報を用いて決定された使用者の好みの撮影条件を外部の撮影装置に送出する。【解決手段】画像データを記憶するメモリカード４４と、前記画像データに基づいて画像の表示を行う表示部１２と、前記表示部に表示された前記画像の前記画像データに対応づけられている情報に基づいて使用者の好みの撮影条件を決定する撮影条件決定部３０と、前記使用者の好みの撮影条件を送出する送出部４６とを備える。【選択図】図２
2011172079.tif 000002
【特許請求の範囲】
【請求項１】
画像データを記憶する記憶部と、
前記画像データに基づいて画像の表示を行う表示部と、
前記表示部に表示された前記画像の前記画像データに対応づけられている情報に基づいて使用者の好みの撮影条件を決定する撮影条件決定部と、
前記使用者の好みの撮影条件を送出する送出部と
を備えることを特徴とする画像再生装置。
【請求項２】
前記画像の撮影シーンを判定する判定部を備え、
前記撮影条件決定部は、前記撮影シーンごとに前記撮影条件を決定することを特徴とする請求項１記載の画像再生装置。
【請求項３】
前記画像が前記表示部に表示された回数を計測する計測部と、
前記画像に評価点数を付与する評価部と
を備え、
前記撮影条件決定部は、前記画像の画像データに付加されている撮影条件、前記表示された回数及び前記評価点数を用いて使用者の好みの撮影条件を決定することを特徴とする請求項１又は２に記載の画像再生装置。
【請求項４】
前記撮影条件は、ＩＳＯ感度であることを特徴とする請求項１〜３の何れか一項に記載の画像再生装置。
【請求項５】
前記撮影条件は、シャッタ秒時であることを特徴とする請求項１〜３の何れか一項に記載の画像再生装置。
【請求項６】
前記撮影条件は、露出の補正値であることを特徴とする請求項１〜３の何れか一項に記載の画像再生装置。
【請求項７】
前記撮影条件は、焦点距離であることを特徴とする請求項１〜３の何れか一項に記載の画像再生装置。
【請求項８】
前記撮影条件は、画角情報であることを特徴とする請求項１〜３の何れか一項に記載の画像再生装置。
【請求項９】
コンピュータに、
画像データを記憶する記憶機能、
前記画像データに基づいて画像の表示を行う表示機能、
前記表示機能により表示された前記画像の前記画像データに対応づけられている情報に基づいて使用者の好みの撮影条件を決定する撮影条件決定機能、
前記使用者の好みの撮影条件を送出する送出機能、を実現させるための画像再生プログラム。
【発明の詳細な説明】
【技術分野】
【０００１】
本発明は、画像再生装置及び画像再生プログラムに関するものである。
【背景技術】
【０００２】
撮像機能を備えた画像表示装置が知られている（例えば、特許文献１参照）。この装置によれば、撮影装置にて撮像を行う際に撮影条件又は撮像状況に係る情報を取得して画像データにこの情報を付与しておくことができる。
【先行技術文献】
【特許文献】
【０００３】
【特許文献１】特開２００８−２８８９０８号公報
【発明の概要】
【発明が解決しようとする課題】
【０００４】
しかし、上述の画像表示装置においては、取得した撮影条件を用いることにより撮影をアシストすることはできなかった。
【０００５】
本発明の目的は、表示部に表示された画像の画像データに対応づけられている情報を用いて決定された使用者の好みの撮影条件を外部の撮影装置に送出する画像再生装置及び画像再生プログラムを提供することである。
【課題を解決するための手段】
【０００６】
本発明の画像再生装置は、画像データを記憶する記憶部と、前記画像データに基づいて画像の表示を行う表示部と、前記表示部に表示された前記画像の前記画像データに対応づけられている情報に基づいて使用者の好みの撮影条件を決定する撮影条件決定部と、前記使用者の好みの撮影条件を送出する送出部とを備えることを特徴とする。
【０００７】
また、本発明の画像再生プログラムは、コンピュータに、画像データを記憶する記憶機能、前記画像データに基づいて画像の表示を行う表示機能、前記表示機能により表示された前記画像の前記画像データに対応づけられている情報に基づいて使用者の好みの撮影条件を決定する撮影条件決定機能、前記使用者の好みの撮影条件を送出する送出機能、を実現させる。
【発明の効果】
【０００８】
本発明の画像再生装置及び画像再生プログラムによれば、表示部に表示された画像の画像データに対応づけられている情報を用いて決定された使用者の好みの撮影条件を外部の撮影装置に送出することができる。
【図面の簡単な説明】
【０００９】
【図１】実施の形態に係るデジタルフォトフレーム及びデジタルカメラの構成を示す図である。
【図２】実施の形態に係るデジタルフォトフレーム及びデジタルカメラの構成を示すブロック図である。
【図３】実施の形態に係るデジタルフォトフレームの処理の概要を示すフローチャートである。
【図４】実施の形態に係る撮影シーンごとの撮影条件を示す図である。
【図５】実施の形態に係るデジタルフォトフレームの撮影条件等取得処理の内容を示すフローチャートである。
【図６】実施の形態に係るデジタルフォトフレームの使用者の好みの撮影条件の決定方法を示す図である。
【図７】実施の形態に係るデジタルフォトフレームの画素二値化処理を示すフローチャートである。
【図８】実施の形態に係るデジタルカメラの撮影シーン選択メニュー画面を示す図である。
【発明を実施するための形態】
【００１０】
以下、図面を参照して実施の形態に係るデジタルフォトフレーム及びデジタルカメラについて説明する。図１は、実施の形態に係るデジタルフォトフレーム（以下、ＤＰＦという。）４及びデジタルカメラ６の構成を示す図である。ＤＰＦ４は、ガラスやプラスチック等からなる装置本体１０を備え、装置本体１０の前面には、画像データに基づく画像やサムネイル一覧画面等を表示するディスプレイ１２が設けられている。また、装置本体１０の側面には、ディスプレイ１２において画像をスライドショー表示させるスライドショーボタン（図示せず）、ディスプレイ１２に表示された画像を評価する画像評価ボタン（図示せず）、後述する撮影条件等取得処理等の一連の処理を実行する実行ボタン（図示せず）等が設けられている。
【００１１】
デジタルカメラ６は、筐体２０を備え、筐体２０の背面には、撮影された画像やメニュー画面等を表示するＬＣＤ表示部２２、ＬＣＤ表示部２２に撮影シーン選択メニューを表示するシーン選択メニューボタン２３、ＬＣＤ表示部２２に表示されたメニューの選択等を行うマルチセレクタ２４、マルチセレクタ２４で選択した項目の決定等を行うＯＫボタン２６等が設けられている。また、筐体２０の上面には、電源スイッチ２７、レリーズ指示を行うレリーズボタン２８が設けられている。
【００１２】
図２は、実施の形態に係るＤＰＦ４及びデジタルカメラ６の構成を示すブロック図である。ＤＰＦ４はＣＰＵ３０を備え、ＣＰＵ３０には、操作部３２、ディスプレイ１２の表示を制御する表示制御部３４、使用者の好みの撮影条件を決定する際に用いるデータ記憶部３８、画像データから画像の撮影シーンを認識するシーン認識部４０、画像データから構図枠データの生成等を行う画像処理部４１、画像データを記憶するメモリカード４４、デジタルカメラ６との間の無線通信を行う無線通信部４６が接続されている。ここで、操作部３２は、スライドショーボタン、画像評価ボタン、実行ボタン等を含む。
【００１３】
デジタルカメラ６はＣＰＵ５０を備え、ＣＰＵ５０には、操作部５２、ＬＣＤ表示部２２の表示を制御する表示制御部５４、被写体を撮影するための撮影部５６、ＤＰＦ４から受信した好みの撮影条件に関する情報等を記憶する記憶部５８、撮影された画像の画像データ等を記憶するメモリカード６２、ＤＰＦ４との間の無線通信を行う無線通信部６４が接続されている。ここで、操作部５２は、シーン選択メニューボタン２３、マルチセレクタ２４、ＯＫボタン２６、電源スイッチ２７、レリーズボタン２８等を含む。
【００１４】
次に、ＤＰＦ４においてディスプレイ１２に表示された画像の画像データに対して行われる処理について説明する。ここで、画像データはＥｘｉｆ等の所定のファイル形式でメモリカード４４に記憶されているものとする。まず、ＤＰＦ４のスライドショーボタンが押下されると、ＣＰＵ３０は、メモリカード４４に記憶されている画像データを読み出し、表示制御部３４を介して画像データに基づく画像を順次ディスプレイ１２に表示する。画像がディスプレイ１２に表示された場合、ＣＰＵ３０は、表示された回数（以下、再生回数という。）をカウントし、画像データに付加されているヘッダ部に再生回数に関する情報を記憶する。
【００１５】
また、スライドショーを行っている場合において、使用者により画像評価ボタンが押下された場合には、ＣＰＵ３０は、画像評価ボタンが押下された際にディスプレイ１２に表示されていた画像に評価点数を付与する。例えば、スライドショーにおいて、ファイル名「画像１」の画像データに基づく画像が表示された際に、使用者により画像評価ボタンが３回押下された場合、画像データのヘッダ部に３という評価点数に関する情報を記憶する。なお、画像評価ボタンは、使用者の好みの度合いが増すにつれて操作回数を増加させるものとする。スライドショーが終了すると、ＣＰＵ３０は、画像データをメモリカード４４に記憶する。
【００１６】
なお、メモリカード４４から使用者により選択された画像データを読み出して、画像データに基づく画像をディスプレイ１２に表示する場合においても、ディスプレイ１２に画像が表示された時点において再生回数が画像データのヘッダ部に記憶され、また、画像評価ボタンが押下された場合には、押下された回数を評価点数として画像データのヘッダ部に記憶される。
【００１７】
次に、図面を参照して実施の形態に係るＤＰＦ４の処理について説明する。図３は、実施の形態に係るＤＰＦ４の処理の概要を示すフローチャートである。まず、ＤＰＦ４において実行ボタンが押下されると、ＣＰＵ３０は、画像データに基づく画像の撮影シーンを判定し、撮影シーンごとに画像データを分類する（以下、画像のシーン分類処理という。）（ステップＳ１）。即ち、ＣＰＵ３０は、メモリカード４４に記憶された画像データを読み出し、シーン認識部４０を制御して画像データに基づく画像の撮影シーンを判定する。ここで、シーン認識部４０は、一般的に知られているシーン認識技術によって撮影シーンの判定を行う。
【００１８】
例えば、画像データに付加されている撮影条件の被写体距離が所定の閾値以下であり、かつ、フォーカス位置が所定の閾値以下である場合はマクロ画像、画像データに付加されている撮影条件の被写体距離が所定の閾値以上であり、かつ、フォーカス位置が無限遠である場合は風景画像、画像データから所定の面積を超える人の顔を検出した場合はポートレート画像などのように判定を行う。なお、画像のシーン分類処理（ステップＳ１）は、メモリカード４４に記憶されている画像データの数分繰り返して行われる。
【００１９】
画像の撮影シーン分類処理（ステップＳ１）が完了すると、ＣＰＵ３０は、画像の撮影シーンごとに撮影条件等取得処理を行う（ステップＳ２）。例えば、画像のシーン分類処理の結果、風景画像の画像データが１５個、マクロ画像の画像データが３０個、ポートレート画像の画像データが２０個であった場合、それぞれの撮影シーンについて画像データ個数分の撮影条件等取得処理を行う。ここで、ＣＰＵ３０が取得する撮影条件は撮影シーンに応じて予め設定されている。例えば、図４に示すように、画像データがマクロ画像及び風景画像の画像データである場合は、ＩＳＯ感度、シャッタ秒時、露出補正値のそれぞれに関する情報、及び画角情報（ズーム）、ＡＦ距離に関する情報を取得し、画像データがポートレート画像の場合は、ＩＳＯ感度、シャッタ秒時、露出補正値のそれぞれに関する情報、画角情報（ズーム）、顔認識の範囲に関する情報、画像の色彩に関する情報（美肌）、ＡＦ距離に関する情報、フラッシュの発光量に関する情報をそれぞれ取得する。
【００２０】
図５は、画像データの撮影条件等取得処理を示すフローチャートである。ステップＳ２１において、ＣＰＵ３０は、メモリカード４４に記憶されている画像データのヘッダ部に記憶されている撮影条件に関する情報を読み出し、画像データのファイル名ごとにデータ記憶部３８に記憶されている所定のファイル（以下、第１ファイルという。）に記憶する。例えば、風景画像の画像データについて撮影条件を取得する場合、１５個の画像データのヘッダ部に記憶されている撮影条件に関する情報（ここでは、ＩＳＯ感度とシャッタ秒時のみについて説明する。）を読み出し、第１ファイルに記憶する。即ち、図６（ａ）に示すように、ファイル名「画像１」についてＩＳＯ感度を「１００」、シャッタ秒時を「１／３０」、ファイル名「画像２」についてＩＳＯ感度を「２００」、ファイル名「画像３」〜「画像１５」についても同様に、１５個の画像データについてファイル名ごとに撮影条件を記憶する。
【００２１】
次に、ＣＰＵ３０は、画像の評価点数の取得を行う（ステップＳ２２）。即ち、画像データのヘッダ部に記憶されている評価点数に関する情報を読み出して、第１ファイルに記憶する。例えば、ファイル名「画像１」について評価点数を「３」、ファイル名「画像２」について「４」、ファイル名「画像３」〜「画像１５」についても同様に、１５個の画像データについてファイル名ごとに評価点数を記憶する（図６（ａ）参照）。
【００２２】
次に、ＣＰＵ３０は、再生回数の取得を行う（ステップＳ２３）。即ち、画像データのヘッダ部に記憶されている再生回数に関する情報を読み出して、第１ファイルに記憶する。例えば、ファイル名「画像１」について再生回数を「１」、ファイル名「画像２」について「２」、ファイル名「画像３」〜「画像１５」についても同様に、１５個の画像データについてファイル名ごとに再生回数を記憶する（図６（ａ）参照）。なお、風景画像のファイル名「画像１」〜「画像１５」の画像データについて撮影条件等取得処理（ステップＳ２）が完了すると、３０個のマクロ画像の画像データ、２０個のポートレート画像の画像データ等、全ての撮影シーンの画像データについて撮影条件等取得処理（ステップＳ２）を繰り返す。
【００２３】
撮影条件等取得処理（ステップＳ２）が完了すると、ＣＰＵ３０は、取得した情報に基づいて、画像の撮影シーンごとに使用者の好みの撮影条件の決定を行う（ステップＳ３）。即ち、まず、ＣＰＵ３０は、データ記憶部３８から第１ファイルを読み出し、撮影条件ごとに取得した情報の集計を行う。次に、数式１に基づいて、使用者がその撮影条件をどの程度好んでいるかを示す好感指数を算出し、好感指数が最大となる撮影条件を好みの撮影条件として決定する。
好感指数  ＝（評価点数＋再生回数）／画像データ数    …  数式１  
【００２４】
例えば、図６（ａ）に示すように、第１ファイルに風景画像の撮影シーンにおける１５個の画像データのファイル名が記憶され、各ファイル名について、ＩＳＯ感度、シャッタ秒時、画像の評価点数、画像の再生回数が記憶されているとする。この場合、ＣＰＵ３０は、まず、図６（ｂ）に示すように、各ＩＳＯ感度について画像データ数、画像の評価点数、画像の再生回数を集計し、集計した値を用いて数式１により好感指数を算出する。
【００２５】
即ち、図６（ａ）においてＩＳＯ感度が４００の画像データは、ファイル名「画像４」、「画像９」、「画像１４」の３個である。このＩＳＯ感度が４００の画像データを集計すると、図６（ｂ）に示すように、画像データが３個、評価点数が１１点、再生回数が６回となる。これらの集計値を用いて数式１の計算を行うと、好感指数＝（１１＋６）／３＝５．６６７のように算出される。この好感指数は、図６（ｂ）に示す４つのＩＳＯ感度の好感指数のうち最大であるため、ＩＳＯ感度４００が使用者の好みのＩＳＯ感度として決定される（図６（ｂ）参照）。
【００２６】
次に、好みのＩＳＯ感度の画像データについて、シャッタ秒時ごとに集計値を算出し、数式１に基づいて集計値から好感指数を算出し、好感指数が最大となるシャッタ秒時をＩＳＯ感度が４００の場合における好みのシャッタ秒時として決定する。この場合、まず、図６（ｃ）に示すように、各シャッタ秒時について画像データ数、画像の評価点数、画像の再生回数を集計し、集計した値を用いて数式１により好感指数を算出する。
【００２７】
例えば、図６（ａ）においてＩＳＯ感度４００であり、かつ、シャッタ秒時が１／６０の画像データは、ファイル名「画像４」、「画像１４」の２個である。このシャッタ秒時が１／６０の画像データを集計すると、図６（ｃ）に示すように、画像データが２個、評価点数が９点、再生回数が３回となる。これらの集計値を用いて数式１の計算を行うと、好感指数＝（２＋９）／３＝６．０のように算出される。この好感指数は、図６（ｂ）に示す４つのシャッタ秒時の好感指数のうち最大であるため、シャッタ秒時が１／６０が使用者の好みのシャッタ秒時として決定される（図６（ｃ）参照）。ＣＰＵ３０は、すべての全ての撮影シーンについて好みの撮影条件の決定を行い、決定した撮影条件に関する情報をメモリカード４４に記憶する。
【００２８】
次に、ＣＰＵ３０は、操作者の指示があった場合に、メモリカード４４に記憶されている撮影シーンごとの好みの撮影条件に関する情報を読み出し、無線通信部４６、デジタルカメラ６の無線通信部６４を介してデジタルカメラ６に対して送信する（ステップＳ４）。デジタルカメラ６が無線通信部６４を介してこれらを受信すると、ＣＰＵ５０は、好みの撮影条件に関する情報を記憶部５８に記憶する。なお、撮影条件に関する情報の送受信を行う場合、図１のように、ＤＰＦ４のディスプレイ１２及びデジタルカメラ６のＬＣＤ表示部２２に通信中である旨の表示を行うようにしてもよい。
【００２９】
この実施の形態に係るＤＰＦ４及びデジタルカメラ６によれば、ディスプレイ１２に表示された画像の画像データに対応づけられている情報を用いて決定された使用者の好みの撮影条件を外部の撮影装置に送出することができる。また、ＤＰＦ４において撮影シーンごとの好みの撮影条件を決定し、好みの撮影条件に関する情報をデジタルカメラ６に送信することにより、撮影シーンごとの撮影をアシストすることができる。
【００３０】
なお、上述の実施の形態において、所定の撮影シーン（例えば、風景やポートレートのように輪郭を表現しうる撮影シーン）における好みの撮影条件を満たす画像ついて構図枠データを生成し、好みの撮影条件に関する情報と共に構図枠データをデジタルカメラ６に送信してもよい。これにより、デジタルカメラ６のＬＣＤ表示部２２に構図枠を表示し、正確な構図で撮影できるように使用者の撮影をアシストすることができる。
【００３１】
構図枠データを生成する場合、ＣＰＵ３０は、ステップＳ３において好みの撮影条件を決定した後、画像処理部４１において、所定の画像ついて構図枠データの生成を行う。ここで、構図枠データの生成は、図７のフローチャートに示すように行われる。
【００３２】
まず、ＣＰＵ３０は、例えば、風景の撮影シーンにおいて使用者の好みの撮影条件を満たす、ファイル名「画像４」の画像データを読み出す。次に、読み出した画像データを構成する画素からＧ（緑）画素を抽出し、微分フィルタにより画像データを構成する個々の画素についてＧ画素の微分値を算出し、算出した微分値の平均値を算出する（ステップＳ４１）。なお、微分フィルタには一般的に知られているものを用いるものとする。次に、ＣＰＵ３０は、算出した平均値を閾値として設定する（ステップＳ４２）。次に、各画像データについて画素の二値化を行う。即ち、微分フィルタにより画像データを構成するそれぞれの画素の微分値を算出し（ステップＳ４３）、算出した画素の微分値が閾値以上か否かの判定を行う（ステップＳ４４）。
【００３３】
算出した画素の微分値が閾値以上の場合は、その画素の画素値が“Ｈｉｇｈ”であると判定し（ステップＳ４５）、閾値未満の場合は、画素値が“Ｌｏｗ”であると判定する（ステップＳ４６）。次に、ＣＰＵ３０は、画像処理部４１を制御して、画像データから“Ｈｉｇｈ”と判定された画素を輪郭とする構図の構図枠データの生成を行い、生成した構図枠データをメモリカード４４に記憶する。なお、ＣＰＵ３０は、図７のフローチャートに示す処理を、所定の撮影シーンにおいて使用者の好みの撮影条件を満たす画像データの個数分繰り返す。
【００３４】
デジタルカメラ６においては、シーン選択メニューボタン２３が押下されると、ＬＣＤ表示部２２に撮影シーン選択メニューが表示される。例えば、図８に示すように、マクロ画像、風景画像、ポートレート画像から一つの撮影シーンを選択する選択メニューが表示される。ここで、風景画像の項目には、構図枠をＬＣＤ表示部２２に表示された画像上に重ねて表示するか否かの選択を行う選択項目が表示される。
【００３５】
この場合、使用者によりマルチセレクタ２４が操作されることにより撮影シーン選択メニューから風景画像が選択され、更に構図表示においてＯＮが選択されてＯＫボタン２６が押下されると、ＣＰＵ５０は、構図枠データに基づく構図枠をＬＣＤ表示部２２に表示する。
【００３６】
また、上述の実施の形態において構図枠データを生成する場合、評価点数と再生回数の合計値が最も大きい画像の構図枠データをデジタルカメラ６に対して送信しているが、送信する構図枠データを使用者が選択できるようにしてもよい。
【００３７】
また、上述の実施の形態において構図枠データを生成する場合、デジタルカメラ６に構図枠データから人物の顔を認識する顔認識部を設けてもよい。例えば、顔認識部により好みの撮影条件を満たすポートレートの画像の構図枠データから顔の位置を検出し、ＬＣＤ表示部２２にこの構図枠データに基づく構図枠を表示した場合に顔の位置にＡＦ位置を合わせるようにしてもよい。
【００３８】
また、上述の実施の形態において、使用者の好みのＡＦ距離が決定された場合に、デジタルカメラ６において検出する合焦位置を、所定の範囲に限定するようにしてもよい。例えば、マクロ画像の撮影を行う場合に、デジタルカメラ６の撮影部５６における合焦位置検出範囲を、好みのＡＦ距離を基準とする所定の範囲に限定するようにしてもよい。これにより、合焦位置を短時間で効率的に検出することができる。
【００３９】
また、上述の実施の形態において、デジタルカメラ６において所定の撮影シーンを撮影する場合に、所定の撮影シーンにおける好みの撮影条件に合わせて画角を調整するようにしてもよい。例えば、マクロ画像の撮影を行う場合に、好みのＡＦ距離に焦点位置を合わせるようにズームしてもよい。これにより、画角の調整に手間をかけることなくマクロ画像の撮影を行うことができる。
【００４０】
また、上述の実施の形態においては、画像の撮影シーンとしてマクロ画像、風景画像、ポートレート画像を例に説明しているが、その他の撮影シーンを設けてもよい。例えば、スポーツ画像や夜景画像などの撮影シーンを設けてもよい。
【００４１】
また、上述の実施の形態においては、画像の撮影シーンについて分類を行っているが、その他の事項について分類を行うようにしてもよい。例えば、撮影された時間について画像の分類を行うようにしてもよい。即ち、画像を朝、昼、夜などに分類してもよい。また、デジタルカメラ６に撮影された時間に応じて撮影部５６の露出値を変化させる機能を付加するようにしてもよい。
【００４２】
また、上述の実施の形態においては、ＤＰＦ４において決定された好みの撮影条件に関する情報等をデジタルカメラ６に対して送信しているが、他のカメラで用いることができるようにしてもよい。例えば、好みの撮影条件に関する情報等をメモリカード４４に記憶した後、メモリカード４４をＤＰＦ４の図示しないメモリカードスロットから取り外し、他のカメラのメモリカードスロットに装着するようにしてもよい。これにより、好みの撮影条件に関する情報等をデジタルカメラ６と同一の基本構成を有する他のカメラで用いることができる。
【００４３】
また、上述の実施の形態においては、ＤＰＦ４からデジタルカメラ６に対して無線通信部により好みの撮影条件に関する情報の送信を行っているが、有線通信手段を用いてもよい。例えば、ＤＰＦ４及びデジタルカメラ６がそれぞれＵＳＢ端子を有し、ＵＳＢケーブルを介して通信を行うようにしてもよい。これにより、セキュリティレベルの高い安定した通信を行うことができる。
【００４４】
また、上述の実施の形態においては、画像再生装置としてＤＰＦ４を例に説明したが、表示された画像データから情報を取得し、好みの撮影条件を決定する機能を備えることにより、テレビジョン等の他の画像再生装置においても、本発明を適用することができる。
【符号の説明】
【００４５】
４…ＤＰＦ、６…デジタルカメラ、１０…装置本体、１２…ディスプレイ、２０…筐体、２２…ＬＣＤ表示部、２３…シーン選択メニューボタン、２４…マルチセレクタ、２６…ＯＫボタン、２７…電源スイッチ、２８…レリーズボタン。
【図１】
2011172079.tif 000003
【図２】
2011172079.tif 000004
【図３】
2011172079.tif 000005
【図４】
2011172079.tif 000006
【図５】
2011172079.tif 000007
【図６】
2011172079.tif 000008
【図７】
2011172079.tif 000009
【図８】
2011172079.tif 000010